(57)【要約】【課題】優れた温熱効果を消費電力を抑えて達成できるとともに、快いリラックス感が得られる電気こたつを提供する。【解決手段】アルミ箔１１の表面に粉末トルマリンを含有する塗膜１２を設層するとともに、該粉末トルマリン含有塗膜１２を保護するように低温火傷防止用ネット１３が設けられた遠赤外線発生部１をこたつの内部に設け、加温下に遠赤外線を発生させることを特徴とする電気こたつＡ。好ましくは、上記遠赤外線発生部が板状支持体に貼設されてこたつ敷として用いられる。【選択図】図１
2006090568.tif 000002
【特許請求の範囲】
【請求項１】
アルミ箔の表面に粉末トルマリンを含有する塗膜を設層するとともに、該粉末トルマリン含有塗膜を保護するように低温火傷防止用ネットが設けられた遠赤外線発生部をこたつの内部に設け、加温下に遠赤外線を発生させることを特徴とする電気こたつ。
【請求項２】
上記遠赤外線発生部が板状支持体に貼設されるとともに、こたつ敷として用いられる請求項１に記載の電気こたつ。
【請求項３】
上記電気こたつの熱源が赤外線ヒータである請求項１に記載の電気こたつ。
【請求項４】
アルミ箔の厚さが７０μｍ〜１２０μｍである請求項１に記載の電気こたつ。
【発明の詳細な説明】
【技術分野】
【０００１】
本発明は、電気こたつに関する。さらに詳しくは、畳や床面に置いて使用する座卓型こたつあるいは掘りごたつ等、電熱ヒータを熱源として暖を取る電気こたつに関する。
【背景技術】
【０００２】
上記電気こたつに関しては種々の改良技術が公知であり、例えば、下記特許文献には、脱臭機能付きマイナスイオン発生電気こたつが提案されている。
【特許文献１】特開２０００−２２７２２５号公報（第１−３頁、第１図）
【発明の開示】
【発明が解決しようとする課題】
【０００３】
上記技術においては、その図１から明らかなように、電気こたつの内部に電気石の微粉末を含む脱臭層を設けてマイナスイオンを発生させ、脱臭を効果的に行うとともに、ふとんで閉め切られた空間に健康によいといわれるマイナスイオンの濃度を高める技術が開示されている。しかしながら、温熱効果、保温効果等の熱的な側面に関しては、経済的に十分に配慮されたものとはいえない。本発明は上記問題を解決し、消費電力を抑えて素早く温度を上昇させることが可能であり、優れた温熱効果を達成できるとともに、快いリラックス感が得られる電気こたつを提供することを、その課題とする。
【課題を解決するための手段】
【０００４】
上記課題を解決するために、本発明においてはつぎのような技術的手段を講じている。すなわち、本発明によれば、アルミ箔の表面に粉末トルマリンを含有する塗膜を設層するとともに、該粉末トルマリン含有塗膜を保護するように低温火傷防止用ネットが設けられた遠赤外線発生部をこたつの内部に設け、加温下に遠赤外線を発生させることを特徴とする電気こたつが提供される。
【０００５】
上記粉末トルマリン（ｔｏｕｒｍａｌｉｎｅ）は電気石とも呼ばれ、自発分極が大きいため、自然状態でも遠赤外線を発生するが、加熱することによって遠赤外線の発生量が顕著となり、したがって、電熱ヒータ等により熱ストレスを与えることが好ましい。また、低温火傷防止用ネットとしては、不燃材料または不織布からなり、発生した遠赤外線を透過させるネット体が好適に用いられる。なお、本発明において、こたつの内部とはこたつふとんで囲まれた閉空間をいう。
【０００６】
上記遠赤外線発生部が板状支持体に貼設されるとともに、こたつ敷として用いられることが好ましい。上記板状支持体としては、パネルであればとくに限定されるものではなく、合板、ＭＤＦ（中密度繊維板）等が用いられるが、中でもＭＤＦが好適に用いられる。
【０００７】
上記電気こたつの熱源としては、電熱ヒータであればとくに限定されないが、とくに、赤外線ヒータを用いることが好ましい。赤外線ヒータとしては、通常、石英管の内部に通電により赤熱して赤外線を放射するニクロム線ヒータを内蔵したものが用いられる。また、アルミ箔としてはその厚さを７０μｍ〜１２０μｍとすることが好ましい。
【発明の効果】
【０００８】
請求項１に記載の発明は上記のとおりであり、アルミ箔の表面に粉末トルマリン含有塗膜を設層するとともに、それを保護するように低温火傷防止用ネットが設けられ、こたつの内部で、熱源としての電熱ヒータによる二次的な加温下に遠赤外線を発生させるため、少ない消費電力で素早く快適な体感温度に達することが可能となり、リラックス感も得ることができる。
【０００９】
上記遠赤外線発生部が板状支持体に貼設されるとともに、こたつ敷として用いられるため、下半身が輻射熱でむらなく暖められ、また、粉末トルマリン含有塗膜を保護するように設けられた低温火傷防止用ネットによって肌が直接、遠赤外線発生部に触れることを防ぎ、火傷、とくに低温火傷を防止することができる。
【００１０】
上記電気こたつの熱源を赤外線ヒータとすることにより、人体を赤外線で内部から暖めるとともに、遠赤外線による輻射熱によっても暖めることができるため、素早く、快適な体感温度に達することができる。また、アルミ箔の厚さを７０μｍ〜１２０μｍとすることにより、コスト的に有利に、かつ、十分な強度を持つ遠赤外線発生部を作成することができる。
【発明を実施するための最良の形態】
【００１１】
以下、本発明の実施形態について図面を参照して、詳細に説明する。図１は、本発明にかかる座卓型の電気こたつＡの概略構成を示す説明図であり、図２は、図１におけるＸ−Ｘ線に沿う側断面図である。図１、図２からよくわかるように、本実施形態においては上記電気こたつＡの天板（７５×７５ｃｍ）２の裏面略中央部に取り付けられた赤外線ヒータ３の周囲に本発明にかかる遠赤外線発生部１が設けられている。すなわち、図２によく示されているようにアルミ箔１１の表面に粉末トルマリン含有塗膜１２を設層し、この粉末トルマリン含有塗膜１２を保護するように低温火傷防止用ネット１３を設けて、遠赤外線発生部１としている。また、床面には遠赤外線発生部１を貼着したＭＤＦ４がこたつ敷（９０×９０ｃｍ）として用いられている。なお、図１において、符号５は電気こたつＡの脚部を示し、符号６はこたつふとんを示す。
【００１２】
つぎに、上記構成を有する遠赤外線発生部１の作成方法について説明する。まず、粉末トルマリン含有塗膜１２をアルミ箔１１の表面に設層する方法であるが、粉末トルマリンを２０％の割合で混合した付着性アクリル樹脂系ワックスに、さらに光沢を出すためクリアーワックスを加え、これらの混合物を粉末トルマリン含有塗料としてロールコータによってアルミ箔１１の表面に塗布する。このとき、上記粉末トルマリン２０％含有アクリル樹脂系ワックスの塗布量は１３〜１４ｇ／ｍ2とされ、クリアーワックスの塗布量は１１〜１２ｇ／ｍ2とされる。このようにしてアルミ箔１１に設層された粉末トルマリン含有塗膜１２を保護するように、メッシュの粗い不織布からなる低温火傷防止用ネット１３を設けて遠赤外線発生部１とする。上記のようにして形成された遠赤外線発生部１は、図１に示すように、天板２の裏面に水性ビニル系接着剤によって貼着される。
【００１３】
図３は、図１におけるＹ−Ｙ線に沿う側断面図である。図３においては、上記のように形成された遠赤外線発生部１をＭＤＦ４に水性ビニル系接着剤によって貼着し、こたつ敷としている。また、図１からよくわかるように、こたつ敷の上記遠赤外線発生部１はこたつの脚部５から外側に延出して設けられ、より効率的に遠赤外線が発生するようにされている。図４は、上記電気こたつＡの天板２の裏面とこたつ敷に加えて脚部５に本発明にかかる遠赤外線発生部１を設けた構成を示す説明図である。さらに、電気こたつＡを構成する脚部５等のパーツのみならずこたつふとん６の裏面に遠赤外線発生部１を貼着して設けてもよい。このように、赤外線ヒータ３により素早く体感温度の上昇を達成できるとともに、赤外線ヒータ３の二次的な加温により発生した遠赤外線により、リラックス感をも得ることができる。
【００１４】
図５は、掘りごたつＢに本発明にかかる遠赤外線発生部１を設けた構成を示す説明図である。掘りごたつＢにおいては、天板（７５×７５ｃｍ）２の裏面全体に亘って上記遠赤外線発生部１が設けられている。本実施形態においても、上記と同様に、足元を赤外線ヒータ３で暖めて素早く体感温度の上昇を達成できるとともに、こたつ内部を遠赤外線で暖め、快いリラックス感を得ることができる。なお、上記した実施形態は座卓型こたつＡ、掘りごたつＢの場合についてであるが、これらに限定されず、食卓テーブル型こたつ等、種々のタイプのこたつに適用可能である。
【図面の簡単な説明】
【００１５】
【図１】本発明にかかる座卓型の電気こたつの概略構成を示す説明図である。
【図２】図１におけるＸ−Ｘ線に沿う側断面図である。
【図３】図１におけるＹ−Ｙ線に沿う側断面図である。
【図４】図１に示す電気こたつの脚部にさらに遠赤外線発生部を設けた構成を示す説明図である。
【図５】掘りごたつに本発明にかかる遠赤外線発生部を設けた構成を示す説明図である。
【符号の説明】
【００１６】
Ａ          本発明にかかる座卓型電気こたつ
Ｂ          本発明にかかる掘りごたつ
１          遠赤外線発生部
１１        アルミ箔
１２        粉末トルマリン含有塗膜
１３        低温火傷防止用ネット
２          天板
３          赤外線ヒータ
４          ＭＤＦ
５          脚部
６          こたつふとん
【図１】
2006090568.tif 000003
【図２】
2006090568.tif 000004
【図３】
2006090568.tif 000005
【図４】
2006090568.tif 000006
【図５】
2006090568.tif 000007